(57)【要約】【課題】  ３次元ＶＲ画像を２台のカメラで撮影するために最適な撮影器具を提供することを目的とする。【解決手段】  Ｌ字状に直交する水平部１１及び垂直部１２を有する基体１３と、水平部から垂直部と平行に直立し、第１のデジタルカメラを支持する第１支持体１４と、垂直部から水平部と平行に直立し、第２のデジタルカメラを支持する第２支持体１５と、を備え、  第１支持体１４が水平部１１と摺動可能であって、第１のデジタルカメラ２０と第２のデジタルカメラ２１との間隔を調整可能とした３次元ＶＲ画像撮影器具１０を提供する。【選択図】図１
2019117288.tif 000002
【特許請求の範囲】
【請求項１】
３次元ＶＲ画像を撮像するために２台のデジタルカメラを連結する３次元ＶＲ画像撮影器具であって、
Ｌ字状に直交する水平部及び垂直部を有する基体と、
該水平部から該垂直部と平行に直立し、第１のデジタルカメラを支持する第１支持体と、
該垂直部から該水平部と平行に直立し、第２のデジタルカメラを支持する第２支持体と、
を備え、
該第１支持体が該水平部と摺動可能であって、第１のデジタルカメラと第２のデジタルカメラとの間隔を調整可能とした
ことを特徴とする３次元ＶＲ画像撮影器具。
【請求項２】
前記第１のデジタルカメラと第２のデジタルカメラのそれぞれのレンズ中心の間隔が、
５０ｍｍないし１５０ｍｍの間で調整可能である
請求項１に記載の３次元ＶＲ画像撮影器具。
【請求項３】
該第２支持体が前記垂直部と摺動可能であって、第２のデジタルカメラのレンズの高さを第１のデジタルカメラのレンズの高さと等しく調整可能とした
請求項１又は２に記載の３次元ＶＲ画像撮影器具。
【請求項４】
前記第１支持体及び第２支持体が、第１のデジタルカメラ及び第２のデジタルカメラのそれぞれレンズマウント部に接続される
請求項１ないし３のいずれかに記載の３次元ＶＲ画像撮影器具。
【発明の詳細な説明】
【技術分野】
【０００１】
本発明は、３次元ＶＲ画像を撮像するために２台のデジタルカメラを連結する３次元ＶＲ画像撮影器具に関する。
【背景技術】
【０００２】
従来から複数のカメラを組み合わせて、左右両眼に対応する画像を撮影するためのリグと呼ばれる撮影器具が知られている。
特に、近年では２台のカメラに広角のレンズを装着してステレオの静止画又は動画を撮影し、これをＶＲグラスで左右両眼に異なる画像を見せることで３ＤＶＲ（３次元バーチャルリアリティ）を楽しむことが盛んになっている。
【０００３】
特に、スマートフォンなどに高精度な姿勢センサが実装されているため、ＶＲグラスにスマートフォンを装着し、その画面で両眼の画像を再生すると同時に、姿勢センサによって取得したユーザーの向きに応じた画像を提供する。その際、超広角レンズで撮像すれば、自由な向きの画像を見ることができるため、ＶＲの臨場感が飛躍的に高まっている。
【０００４】
先行技術として、２台以上のカメラを連結するリグは多数開示されている。
【先行技術文献】
【特許文献】
【０００５】
【特許文献１】特表2017-521897
【特許文献２】US2012/0154519
【特許文献３】US2011/0249100
【特許文献４】US2008/0278571
【発明の概要】
【発明が解決しようとする課題】
【０００６】
上記の従来技術において、いずれもカメラの形状に合わせた専用のリグとなっており、位置調整できる場合でも３次元ＶＲ画像を最適化するために設計されたものではない。
本発明は上記従来技術の有する課題を解決するものであり、３次元ＶＲ画像を２台のカメラで撮影するために最適な撮影器具を提供することを目的とする。
【課題を解決するための手段】
【０００７】
上記課題を解決するため、本発明は次のような３次元ＶＲ画像撮影器具を提供する。
すなわち、３次元ＶＲ画像を撮像するために２台のデジタルカメラを連結する３次元ＶＲ画像撮影器具であって、Ｌ字状に直交する水平部及び垂直部を有する基体と、該水平部から該垂直部と平行に直立し、第１のデジタルカメラを支持する第１支持体と、該垂直部から該水平部と平行に直立し、第２のデジタルカメラを支持する第２支持体と、を備える。
そして、該第１支持体が該水平部と摺動可能であって、第１のデジタルカメラと第２のデジタルカメラとの間隔を調整可能としたことを特徴とする３次元ＶＲ画像撮影器具を提供する。
【０００８】
本発明の第２の実施形態によれば、第１のデジタルカメラと第２のデジタルカメラのそれぞれのレンズ中心の間隔が５０ｍｍないし１５０ｍｍ、特に６５ｍｍないし１００ｍｍの間で調整可能であることを特徴とする。
【０００９】
本発明の第３の実施形態によれば、該第２支持体が前記垂直部と摺動可能であって、第２のデジタルカメラのレンズの高さを第１のデジタルカメラのレンズの高さと等しく調整可能としたことを特徴とする。
【００１０】
本発明の第４の実施形態によれば、上記の第１支持体及び第２支持体が、第１のデジタルカメラ及び第２のデジタルカメラのそれぞれレンズマウント部に接続されることを特徴とする。
【発明の効果】
【００１１】
本発明によれば、３次元ＶＲ画像を２台のカメラで撮影するために最適な撮影器具を提供することができる。
【図面の簡単な説明】
【００１２】
【図１】本発明に係る３次元ＶＲ画像撮影器具の斜視図である。
【図２】同、正面図である。
【図３】同、右側面図である。
【図４】同、左側面図である。
【図５】同、平面図である。
【発明を実施するための形態】
【００１３】
以下、本発明の実施形態を、図面に示す実施例を基に説明する。なお、実施形態は下記に限定されるものではない。
図１は本発明に係る３次元ＶＲ画像撮影器具の斜視図である。図２は同、正面図、図３は右側面図、図４は左側面図、図５は平面図である。
【００１４】
本発明の３次元ＶＲ画像撮影器具（１０）には、別に用意する第１のデジタルカメラ（２０）、第２のデジタルカメラ（２１）を連結して用いる。デジタルカメラは公知であるから詳細な説明は省略するが、３次元ＶＲ画像の撮影には超広角のレンズを用い、視聴時には広い視野の画像を得ることが望ましい。そして、左右に離隔した２つのデジタルカメラで同時に撮像することにより、それぞれ左右両眼で見れば、３次元のバーチャルリアリティ画像として見ることができる。
【００１５】
デジタルカメラで撮像するのは静止画でも動画でもよく、動画の場合には周辺の音声も合わせて録音することもできる。左右のカメラにそれぞれマイクを備えて、ステレオの音声を録音、再生してもよい。
【００１６】
３次元ＶＲ画像撮影器具（１０）には、Ｌ字状に直交する水平部（１１）及び垂直部（１２）を有する基体（１３）と、水平部（１１）から垂直部（１２）と平行に直立し、第１のデジタルカメラ（２０）を支持する第１支持体（１４）と、垂直部（１２）から水平部（１１）と平行に直立し、第２のデジタルカメラ（２１）を支持する第２支持体（１５）とを備える。
【００１７】
以上の構成において、第１支持体（１４）は、水平部（１１）と固定する固定部材（１４０）、該固定部材（１４０）にバネの弾性で挟持され、バネを緩めると水平部（１１）と平行に摺動可能な摺動部材（１４１）と、摺動部材（１４１）と固定されて直立する直立部材（１４２）、直立部材（１４２）の上端においてデジタルカメラ（２０）のレンズマウント部に巻回してネジで固定する接続部材（１４３）とを備える。バネを締めたり緩めたりするためのレバー（１４４）を背面側に備えている。
【００１８】
従って、摺動部材（１４１）が左右に摺動すれば、第１のデジタルカメラ（２０）もそれに応じて左右に摺動可能である。
本発明では、第１支持体（１４）が水平部（１１）と摺動可能であるため、第１のデジタルカメラ（２０）と第２のデジタルカメラ（２１）との間隔を調整可能としている。
【００１９】
このとき、前記第１のデジタルカメラと第２のデジタルカメラのそれぞれのレンズ（２００）（２１０）中心の間隔（図２中のＬ）が、５０ｍｍないし１５０ｍｍ、より好ましくは６５ｍｍないし１００ｍｍの間で調整可能である。
発明者らによると、従来レンズ間の距離は両眼の距離と一致して設定されていたが、メインの被写体までの距離が遠い場合にはそれよりも広くした方がヘッドマウントディスプレイを使用した視聴時に遠近感が拡がり、見やすい画像を得ることができる。
【００２０】
そこで、近距離の被写体の時は両眼の感覚に近い６５ｍｍとしながら、遠距離の被写体のときには、１００ｍｍ程度まで拡げることが好ましく、本発明の摺動部材（１４１）によってこれを実現することができる。
【００２１】
少なくとも第１支持体が摺動すれば本発明を実施することができるが、本実施例ではさらに第２支持体も垂直部１２と摺動可能に構成している。
すなわち、第２支持体（１５）は、垂直部（１２）と固定する固定部材（１５０）、該固定部材（１５０）にバネの弾性で挟持され、バネを緩めると垂直部（１２）と平行に摺動可能な摺動部材（１５１）と、摺動部材（１５１）と固定されて直立する直立部材（１５２）、直立部材（１５２）の上端においてデジタルカメラ（２１）のレンズマウント部に巻回してネジで固定する接続部材（１５３）とを備える。バネを締めたり緩めたりするためのレバー（１５４）を背面側に備えている。
【００２２】
本構成によれば、摺動部材（１５１）が図中の上下に摺動すると、第２のデジタルカメラ（２１）も上下に摺動可能である。
そして、第２のデジタルカメラ（２１）のレンズ（２１０）の高さを第１のデジタルカメラ（２０）のレンズ（２００）の高さと等しく調整可能としている。
本構成によれば、様々な大きさのデジタルカメラに対応することができ、左右の画像の高さが正しく揃った３次元画像を撮像することができる。
【００２３】
本発明によれば、以上の構成を備えるので、２つのデジタルカメラのレンズ間の感覚を調整できるので、ダイナミックで遠近感のはっきりとした３次元ＶＲ画像を得ることができる。さらに、第１支持体及び第２支持体を摺動させることで様々な大きさのデジタルカメラに対応させ、レンズ位置が正しく揃った３次元画像を撮像することができる。
【符号の説明】
【００２４】
１０    ３次元ＶＲ画像撮影器具
１１    水平部
１２    垂直部
１３    基体
１４    第１支持体
１５    第２支持体
２０    第１のデジタルカメラ
２１    第２のデジタルカメラ
【図１】
2019117288.tif 000003
【図２】
2019117288.tif 000004
【図３】
2019117288.tif 000005
【図４】
2019117288.tif 000006
【図５】
2019117288.tif 000007